(57)【要約】【課題】帯電ブラシの感光体への従動を可能とし、かつ画像におけるハケ筋及び巻き目筋の発生を抑制し得る帯電装置を提供する。【解決手段】帯電装置３０は、電子写真装置の感光体ドラム１を帯電するための帯電ブラシ３１を備えている。帯電ブラシ３１は、感光体ドラム１に従動されるロール状の静電植毛ブラシからなっている。【選択図】図１
2011180245.tif 000002
【特許請求の範囲】
【請求項１】
電子写真装置の感光体を帯電するための帯電ブラシを備えた帯電装置において、
上記帯電ブラシは、上記感光体に従動されるロール状の静電植毛ブラシからなっていることを特徴とする帯電装置。
【請求項２】
前記帯電ブラシは、ブラシ毛が繊維太さ３．３デシテックス（ｄｔｅｘ）以下、長さ１．０ｍｍ以下、かつ密度５０，０００本／ｉｎｃｈ２ 以上の静電植毛ブラシからなっていることを特徴とする請求項１記載の帯電装置。
【請求項３】
前記帯電ブラシは、感光体とは反対方向に回転されると共に、
上記帯電ブラシのブラシ毛は、該帯電ブラシの回転方向に対して、ブラシ毛先端がブラシ毛根元よりも先行するように斜毛して植毛されていることを特徴とする請求項１又は２記載の帯電装置。
【請求項４】
前記帯電ブラシは、感光体を帯電するために２個設けられていることを特徴とする請求項１，２又は３記載の帯電装置。
【発明の詳細な説明】
【技術分野】
【０００１】
本発明は、電子写真装置の感光体を帯電するための帯電ブラシを備えた帯電装置に関するものである。
【背景技術】
【０００２】
従来、電子写真装置における接触帯電装置としてロール状ブラシを採用したものが知られている。
【０００３】
例えば、特許文献１に開示された接触帯電装置１００は、図６に示すように、感光体１０１を帯電するロール状ブラシからなる帯電ブラシ１０２を有している。
【０００４】
ここで、上記ロール状ブラシからなる帯電ブラシ１０２では、ブラシ毛の長さ及び硬度によってはブラシ毛が感光体１０１から離れるときに跳ねるので、図７に示すように、この帯電ブラシ１０２にて帯電された感光体１０１により転写して得られる画像全体に分散した、いわゆるハケ筋と称される短く白い霜降り状の縦スジが発生する場合がある。
【０００５】
そこで、上記特許文献１に開示された接触帯電装置１００では、このハケ筋の発生を解消するために、図６に示すように、帯電ブラシ１０２のシャフト１０３に駆動機構１０４を設け、ロール状の帯電ブラシ１０２とドラム状の感光体１０１との周速比を１以下としている。具体的には、感光体１０１の周速が２５ｍｍ／ｓｅｃのとき、帯電ブラシ１０２を周速が２５ｍｍ／ｓｅｃ以下となるように駆動機構１０４にて駆動させている。
【０００６】
これにより、帯電ブラシ１０２のブラシ毛が感光体１０１から離れるときの跳ねる勢いが低減されるので、ハケ筋の発生が低減されるものとなっている。
【先行技術文献】
【特許文献】
【０００７】
【特許文献１】特開平８−１０１５５９号公報（１９９６年４月１６日公開）
【特許文献２】特開平６−１３０７３２号公報（１９９４年５月１３日公開）
【発明の概要】
【発明が解決しようとする課題】
【０００８】
ところで、上記従来の帯電装置においては、駆動機構１０４を設けて帯電ブラシ１０２を回転駆動させているが、本来、駆動機構１０４は部品点数の増大となるので、存在しない方が好ましい。したがって、帯電ブラシ１０２を感光体１０１に対して従動状態つまり連れ回りとするのがよい。
【０００９】
しかしながら、特許文献１の接触帯電装置１００においては、駆動機構１０４が存在しない場合と等価であるロール状の帯電ブラシ１０２とドラム状の感光体１０１との周速比を１とした場合には、ハケ筋の帯電斑が僅かに発生し、充分ではないとしている。
【００１０】
この帯電ブラシを感光体に対して従動させる技術については、例えば、特許文献２にも開示があるが、特許文献２では、帯電ブラシを感光体に対して従動させる技術はハケ筋が発生するのでよくないとしている。
【００１１】
ここで、従来技術において、ハケ筋が発生するのは、従来の帯電ブラシがパイル織りブラシ等の生地ブラシからなっており、生地ブラシのパイル長を長くすると摩擦力が得られなくなって従動が不可能となる一方、従動を容易とするために生地ブラシのパイル長を短くするとハケ筋が発生し易くなるためである。
【００１２】
また、従来の帯電ブラシでは、パイル織りブラシ等の生地ブラシからなっていることに起因して、巻き目筋の帯電斑が発生するという他の問題を有している。
【００１３】
すなわち、生地ブラシでは、リボン状の生地をスパイラル状に巻いてブラシ化するので、図８に示すように、生地の巻き目に沿った筋状の帯電斑が発生するという問題を有している。
【００１４】
本発明は、上記従来の問題点に鑑みなされたものであって、その目的は、帯電ブラシの感光体への従動を可能とし、かつ画像におけるハケ筋及び巻き目筋の発生を抑制し得る帯電装置を提供することにある。
【課題を解決するための手段】
【００１５】
本発明の帯電装置は、上記課題を解決するために、電子写真装置の感光体を帯電するための帯電ブラシを備えた帯電装置において、上記帯電ブラシは、上記感光体に従動されるロール状の静電植毛ブラシからなっていることを特徴としている。尚、従動とは、ロール状の帯電ブラシが感光体に接触することにより該感光体の回転に伴って該感光体の周速度と同じ周速度にて逆回転すること、いわゆる連れ回ることをいう。
【００１６】
上記の発明によれば、帯電装置のロール状の帯電ブラシは、ロール状の静電植毛ブラシからなっており、感光体に従動される。このため、帯電ブラシを回転駆動するための駆動装置が不要となる。この結果、帯電ブラシを感光体に従動させることにより、感光体への帯電ブラシによる損傷が軽減され、感光体膜の削れ量を抑えることができ、感光体の高寿命化が期待できる。また、帯電装置の小型化が可能となり、コストダウンを図ることができる。
【００１７】
ここで、従来の帯電ブラシではパイル織りブラシ等の生地ブラシからなっていたので、帯電ブラシを感光体に従動させる場合、印刷した画像にハケ筋及び巻き目筋等の帯電斑が発生していた。
【００１８】
しかし、本発明では、帯電ブラシは、感光体に従動されるロール状の静電植毛ブラシからなっている。この結果、静電植毛ブラシは、従来のパイル織りブラシ等の生地ブラシに比べて、ブラシ毛の長さ、硬度及び密度が適切となっているので、ハケ筋の帯電斑を抑制することができる。また、ロール状の静電植毛ブラシは、接着剤を塗布した円筒状の基材に、静電的にブラシ毛を飛翔させて植毛する。このため、リボン状の生地をスパイラル状に巻いてブラシ化するのではないので、生地の巻き目に沿った筋状の帯電斑が発生することがない。
【００１９】
したがって、帯電ブラシの感光体への従動を可能とし、かつ画像におけるハケ筋及び巻き目筋の発生を抑制し得る帯電装置を提供することができる。
【００２０】
本発明の帯電装置では、前記帯電ブラシは、ブラシ毛が繊維太さ３．３デシテックス（ｄｔｅｘ）以下、長さ１．０ｍｍ以下、かつ密度５０，０００本／ｉｎｃｈ２ 以上の静電植毛ブラシからなっていることが好ましい。
【００２１】
これにより、感光体に従動し、かつ画像におけるハケ筋及び巻き目筋の発生を抑制するための最適なブラシ毛の長さ、硬度及び密度を得ることができる。
【００２２】
具体的には、上記特性の静電植毛ブラシからなる帯電ブラシにおいては、長さ１．０ｍｍ以下であるので、感光体に対して従動させることを可能とする摩擦力が得られ、従動が可能となる。また、ブラシ毛が長さ１．０ｍｍ以下の短さであっても、繊維太さ３．３デシテックス（ｄｔｅｘ）以下であり、かつ密度５０，０００本／ｉｎｃｈ２ 以上の静電植毛ブラシからなっているので、印刷した画像にハケ筋が発生することもない。
【００２３】
また、本発明の帯電装置では、前記帯電ブラシは、感光体とは反対方向に回転されると共に、上記帯電ブラシのブラシ毛は、該帯電ブラシの回転方向に対して、ブラシ毛先端がブラシ毛根元よりも先行するように斜毛して植毛されていることが好ましい。
【００２４】
すなわち、帯電ブラシのブラシ毛が感光体に対して垂直に接触する場合には、ブラシ毛には座屈力が作用する。この結果、ブラシ毛が折り曲げられ、いわゆる寝癖がついた状態になると、ブラシ毛の弾性による接触圧が失われる。
【００２５】
この点、本発明では、帯電ブラシのブラシ毛は、該帯電ブラシの回転方向に対して、ブラシ毛先端がブラシ毛根元よりも先行するように斜毛して植毛されている。このため、座屈力が作用することはなく、常に、一定の弾力性及び接触圧を保持することができる。
【００２６】
また、本発明の帯電装置では、前記帯電ブラシは、感光体を帯電するために２個設けられているとすることが可能である。
【００２７】
これにより、例えば、２個の帯電ブラシに電位差をつけて帯電させることが可能となる。この結果、１個目の帯電ブラシにて感光体の表面電位を高く付与し、２個目の帯電ブラシにて感光体の表面電位を適性値にすることができ、感光体の表面電位を精度よく設定することができる。
【００２８】
尚、このように、帯電ブラシを２個設けることができたのは、帯電ブラシが感光体に従動され、その結果、駆動装置が不要となり、小スペース化が可能となったためであること、及び帯電ブラシが静電植毛ブラシからなっており、帯電ブラシの小径化が可能となったためである。
【発明の効果】
【００２９】
本発明の帯電装置は、以上のように、帯電ブラシは、感光体に従動されるロール状の静電植毛ブラシからなっているものである。
【００３０】
それゆえ、帯電ブラシの感光体への従動を可能とし、かつ画像におけるハケ筋及び巻き目筋の発生を抑制し得る帯電装置を提供するという効果を奏する。
【図面の簡単な説明】
【００３１】
【図１】本発明における帯電装置の実施の一形態を示すものであって、帯電装置の構成を示す斜視図である。
【図２】上記帯電装置を備えた電子写真装置の画像形成部を示す全体構成図である。
【図３】本発明における帯電装置の他の実施の形態を示す構成図である。
【図４】上記帯電装置を備えた電子写真装置にて作成した画像を示す平面図である。
【図５】上記帯電装置を備えた電子写真装置の感光体ドラムにおける膜厚の経時変化を示すグラフである。
【図６】従来の帯電装置の構成を示す正面図である。
【図７】上記従来の帯電装置を備えた電子写真装置にて作成した画像における霜降り状のはけ筋を示す平面図である。
【図８】上記従来の帯電装置を備えた電子写真装置にて作成した画像における斜めに走る巻き目筋を示す平面図である。
【発明を実施するための形態】
【００３２】
〔実施の形態１〕
本発明の一実施形態について図１及び図２に基づいて説明すれば、以下のとおりである。
【００３３】
図２は、本実施の形態の帯電装置を備えた電子写真装置における画像形成部の構造を模式的に示す正面図である。尚、電子写真装置は、該電子写真装置が備えるスキャナにて読み込まれたデータや、電子写真装置に接続された外部機器（例えば、パーソナルコンピュータ等の画像処理装置）からのデータを画像として出力するものである。
【００３４】
図２に示すように、画像形成部４０は、感光体としての感光体ドラム１と、帯電装置３０と、露光装置３と、現像装置１０と、転写ロール４と、搬送ベルト５と、クリーニング装置２０とを備えており、感光体ドラム１の周囲に、回転方向に沿って、帯電装置３０、露光装置３、現像装置１０、転写ロール４及び搬送ベルト５、並びにクリーニング装置２０をこの順序で配置した構成となっている。
【００３５】
感光体ドラム１は、電子写真装置における静電潜像担持体となるものであり、円柱形状を有している。
【００３６】
帯電装置３０は、感光体ドラム１と物理的に接触して、感光体ドラム１の表面を一様に所定の電位まで帯電させるためのものである。帯電装置３０は帯電ブラシ３１を備え、この帯電ブラシ３１は感光体ドラム１と互いの回転軸を平行にして隣接対向して設置されている。尚、帯電装置３０については、後に詳述する。
【００３７】
露光装置３は、帯電装置３０によって帯電された感光体ドラム１の表面を、例えばパーソナルコンピュータ等の画像処理装置からのデータに基づき、レーザ光等により露光して、感光体ドラム１の表面に静電潜像を形成させるためのものである。露光装置３として、例えば半導体レーザや発光ダイオードを用いることができる。
【００３８】
現像装置１０は、感光体ドラム１の表面に現像剤を供給し、感光体ドラム１の表面に形成された静電潜像を現像剤像として顕像化するつまり現像するためのものである。本実施の形態の現像装置１０では、例えば非磁性１成分トナーからなる現像剤が使用されており、いわゆる非磁性１成分現像方式を採用している。尚、本発明においては、必ずしも非磁性１成分トナーに限らず、全ての現像剤を対象とすることができる。
【００３９】
搬送ベルト５は、感光体ドラム１の表面に現像剤像が形成された後に、ＰＰＣ（Plain Paper Copy）用紙等の記録媒体６を感光体ドラム１に運搬するためのものである。
【００４０】
転写ロール４は、感光体ドラム１の表面の現像剤像を、転写材である記録媒体６に転写するためのものであり、板金の面方向と記録媒体６の面方向とを平行にして、搬送ベルト５を間に挟んで感光体ドラム１と隣接対向するように設置されている。尚、記録媒体６は、例えば用紙、ＯＨＰ等である。転写ロール４は、例えば、ウレタンゴムロールからなっている。
【００４１】
クリーニング装置２０は、クリーニングブラシ２１と、固体潤滑剤供給装置２２と、クリーニングブレード２３とを備えており、感光体ドラム１の表面に残留した現像剤や紙粉等を除去するためのものである。
【００４２】
上記構成の電子写真装置において、画像を形成する動作を、図２に基づいて説明すると、以下の通りである。
【００４３】
感光体ドラム１の表面は、帯電装置３０によって均一に帯電される。表面が帯電された感光体ドラム１は、露光装置３によって、データに基づき露光され、感光体ドラム１の表面に静電潜像が形成される。そして、現像装置１０の現像剤供給ロール１２を介して現像ローラ１１により、感光体ドラム１の表面に現像剤が供給され、感光体ドラム１の表面の静電潜像が、現像されて顕像化される。続いて、搬送ベルト５によって記録媒体６が感光体ドラム１へ運搬され、転写ロール４によって、感光体ドラム１の表面の現像剤像が、記録媒体６に転写される。そして、転写後の感光体ドラム１は、残留したトナーや紙粉等が、クリーニングブラシ２１及びクリーニングブレード２３によって除去される。このようなサイクルで画像形成は行われる。
【００４４】
次に、本実施の形態の帯電装置３０の詳細について説明する。
【００４５】
本実施の形態の帯電装置３０は、図１に示すように、ロール状ブラシからなる帯電ブラシ３１と、回転軸であるシャフト３２と、シャフト３２に接続された電圧印加装置３３とからなっており、帯電ブラシ３１は、該帯電ブラシ３１の回転軸であるシャフト３２と感光体ドラム１の回転軸方向とを互いに平行にして、感光体ドラム１に隣接対向するように設置されている。
【００４６】
ここで、本実施の形態の帯電装置３０では、帯電ブラシ３１は感光体ドラム１に従動する、つまり連れ回るようになっている。このため、シャフト３２は、図示しない壁面に回転自在に軸支されており、該シャフト３２を回転駆動するための駆動機構は設けられていない。具体的には、帯電ブラシ３１は感光体ドラム１に接触するだけで回転するようになっており、例えば、感光体ドラム１が周速１００ｍｍ／ｓｅｃにて時計回りに回転する場合には、帯電ブラシ３１は反時計回りに周速１００ｍｍ／ｓｅｃにて回転する。
【００４７】
上記帯電ブラシ３１は、図１に示すように、円柱形状の基材３１ａにブラシ毛３１ｂを起毛したものからなっており、詳細には、ブラシ毛３１ｂは基材３１ａに接着剤を塗布した後、ブラシ毛３１ｂを静電植毛したものからなっている。この静電植毛とは、例えば、負極性に帯電された多数の細かく切ったブラシ毛３１ｂを山盛りに載置し、基材３１ａに正極性を印加することによって、各ブラシ毛３１ｂを静電的に飛翔させ、接着剤が塗布された基材３１ａに植毛する技術をいう。
【００４８】
ところで、上述したように、本実施の形態の帯電装置３０における帯電ブラシ３１は、感光体ドラム１に従動される。このため、帯電ブラシ３１を回転駆動するための駆動装置が不要となる。この結果、帯電ブラシ３１を感光体ドラム１に従動させることにより、感光体ドラム１への帯電ブラシ３１による損傷が軽減され、感光体膜の削れ量を抑えることができ、感光体ドラム１の高寿命化が期待できる。また、帯電装置３０の小型化が可能となり、コストダウンを図ることができる。
【００４９】
ここで、従来の帯電ブラシではパイル織りブラシ等の生地ブラシからなっていたので、帯電ブラシを感光体ドラム１に従動させる場合、印刷した画像にハケ筋及び巻き目筋等の帯電斑が発生していた。
【００５０】
しかし、本実施の形態では、帯電ブラシ３１は、感光体ドラム１に従動されるロール状の静電植毛ブラシからなっている。この結果、静電植毛ブラシは、従来のパイル織りブラシ等の生地ブラシに比べて、ブラシ毛の長さ、硬度及び密度が適切となっているので、ハケ筋の帯電斑を抑制することができる。また、ロール状の静電植毛ブラシは、接着剤を塗布した円筒状の基材３１ａに、静電的にブラシ毛を飛翔させて植毛する。このため、リボン状の生地をスパイラル状に巻いてブラシ化するのではないので、生地の巻き目に沿った筋状の帯電斑が発生することがない。
【００５１】
さらに、帯電ブラシ３１を静電植毛ブラシとしたことによって帯電ブラシ３１が小径となり、これによっても、帯電装置３０の小型化が可能となり、コストダウンを図ることができる。また、帯電ブラシ３１を感光体ドラム１に従動させることにより、注入帯電の割合が増え、放電生成物を抑えることができ、これによっても、感光体ドラム１の高寿命化を図ることができる。
【００５２】
したがって、帯電ブラシ３１の感光体ドラム１への従動を可能とし、かつ画像におけるハケ筋及び巻き目筋の発生を抑制し得る帯電装置３０を提供することができる。
【００５３】
また、本実施の形態の帯電装置３０では、帯電ブラシ３１は、ブラシ毛が繊維太さ３．３デシテックス（ｄｔｅｘ）以下、長さ１．０ｍｍ以下、かつ密度５０，０００本／ｉｎｃｈ２ 以上の静電植毛ブラシからなっていることが好ましい。
【００５４】
これにより、感光体ドラム１に従動し、かつ画像におけるハケ筋及び巻き目筋の発生を抑制するための最適なブラシ毛３１ｂの長さ、硬度及び密度を得ることができる。
【００５５】
具体的には、上記特性の静電植毛ブラシからなる帯電ブラシ３１においては、長さ１．０ｍｍ以下であるので、感光体ドラム１に対して従動させることを可能とする摩擦力が得られ、従動が可能となる。
【００５６】
また、ブラシ毛３１ｂが長さ１．０ｍｍ以下の短さであっても、繊維太さ３．３デシテックス（ｄｔｅｘ）以下であり、かつ密度５０，０００本／ｉｎｃｈ２ 以上の静電植毛ブラシからなっているので、印刷した画像にハケ筋が発生することもない。
【００５７】
ここで、帯電ブラシ３１のブラシ毛３１ｂが感光体ドラム１に対して垂直に接触する場合には、ブラシ毛３１ｂには座屈力が作用する。この結果、ブラシ毛３１ｂが折り曲げられ、いわゆる寝癖がついた状態になると、ブラシ毛３１ｂの弾性による接触圧が失われる。
【００５８】
そこで、本実施の形態では、帯電ブラシ３１のブラシ毛３１ｂは、該帯電ブラシ３１の回転方向に対して、ブラシ毛先端がブラシ毛根元よりも先行するように斜毛して植毛されている。このため、座屈力が作用することはなく、常に、一定の弾力性及び接触圧を保持することができる。
【００５９】
〔実施の形態２〕
本発明の他の実施の形態について図３に基づいて説明すれば、以下のとおりである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６０】
本実施の形態の帯電装置３０’は、図３に示すように、前記実施の形態１の帯電装置３０の構成に加えて、帯電ブラシ３１は、感光体ドラム１を帯電するために２個設けられている。
【００６１】
これにより、例えば、感光体ドラム１の回転方向における下流側の帯電ブラシ３１に電圧印加装置３３を設けると共に、感光体ドラム１の回転方向における上流側の帯電ブラシ３１に電圧印加装置３４を設けることにより、２個の帯電ブラシ３１・３１に電位差をつけて帯電させることが可能となる。この結果、１個目の上流側の帯電ブラシ３１にて感光体ドラム１の表面電位を高く付与し、２個目の下流側の帯電ブラシ３１にて感光体ドラム１の表面電位を適性値にすることができ、感光体ドラム１の表面電位を精度よく設定することができる。
【００６２】
尚、このように帯電ブラシ３１・３１を２個設けることができたのは、帯電ブラシ３１が感光体ドラム１に従動され、その結果、駆動装置が不要となり、小スペース化が可能となったためであること、及び帯電ブラシ３１が静電植毛ブラシからなっており、帯電ブラシ３１の小径化が可能となったためである。
【００６３】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００６４】
本実施の形態の帯電装置３０についての効果を確認するために、各種の性能評価実験を行った。
【００６５】
〔実施例１〕
最初に、本実施の形態の帯電装置３０の帯電ブラシ３１を用いて、感光体ドラム１への従動性及び画質について、評価試験を行った。
【００６６】
試験体としては、表１に示すように、帯電ブラシ３１の繊維太さについて、２．３デシテックス（ｄｔｅｘ）〜６．１デシテックス（ｄｔｅｘ）の繊度となるものを使用した。また、繊維長さについては０．５ｍｍ〜１．５ｍｍとした。さらに、植毛密度は４５，０００本／ｉｎｃｈ２ 〜１５０，０００本／ｉｎｃｈ２ とした。尚、デシテックス（ｄｔｅｘ）とは、「長さ１０，０００ｍの繊維（糸）の重さがＮグラムであるとき、その繊維（糸）はＮデシテックス（ｄｔｅｘ）である」と定義され、繊維（糸）の太さを表す単位である。１デシテックス（ｄｔｅｘ）は、従来の０．９デニール（Ｄ）に相当する。
【００６７】
また、試験条件として、電子写真装置はＡ４カラータンデム機を使用し、感光体ドラム１の周速１００ｍｍ／ｓｅｃとし、帯電ブラシ３１の両端にて２Ｎのバネ荷重をかけた。また、ブラシ印加電圧は直流電圧−１ｋｖとした。さらに、ブラシシャフト外径は直径８．５ｍｍとし、評価画像は６００ｄｐｉにおける１ｏｎ／１ｏｆｆ画像とした。尚、１ｏｎ／１ｏｆｆ画像とは、縦横の６００ｄｐｉにおいてそれぞれ１ドットおきに印字した画像をいう。
【００６８】
【表１】
2011180245.tif 000003
【００６９】
その結果、表１に示すように、試験番号Ｎｏ．１及び試験番号Ｎｏ．２にて示す繊維太さが６．１デシテックス（ｄｔｅｘ）及び４．１デシテックス（ｄｔｅｘ）のものでは、従動させることができず、かつ画質においてもはけ筋が発現した。
【００７０】
これに対して、試験番号Ｎｏ．３〜試験番号Ｎｏ．１２にて示す繊維太さが２．３デシテックス（ｄｔｅｘ）〜３．３デシテックス（ｄｔｅｘ）のものでは、従動させることができ、かつ画質においてもはけ筋はなく、図４に示すように、良好であった。ただし、試験番号Ｎｏ．７〜試験番号Ｎｏ．８にて示す繊維太さが３．３デシテックス（ｄｔｅｘ）であり、繊維長さが１．２ｍｍ〜１．５ｍｍであり、さらに植毛密度が５０，０００本／ｉｎｃｈ２ の場合には、従動が滑らかではなく、画質においても、若干のハケ筋が発現した。
【００７１】
さらに、試験番号Ｎｏ．９にて示す繊維太さが３．３デシテックス（ｄｔｅｘ）であり、繊維長さが１．０ｍｍであり、かつ植毛密度が４５，０００本／ｉｎｃｈ２ の場合には、従動は可能であったが、画質において若干のハケ筋が発現した。
【００７２】
この結果、ブラシ毛３１ｂが繊維太さ３．３デシテックス（ｄｔｅｘ）以下、長さ１．０ｍｍ以下、かつ密度５０，０００本／ｉｎｃｈ２ 以上の帯電ブラシ３１が、従動でき、かつ画質もよいことが確認できた。
【００７３】
〔実施例２〕
次に、感光体ドラム１の膜厚についての経時変化について試験を行った。
【００７４】
試験条件は、表２に示すとおりとした。
【００７５】
【表２】
2011180245.tif 000004
【００７６】
すなわち、実施例では、試験体としては、材質ポリアミドの静電植毛ブラシのブラシ毛３１ｂであって、繊維太さ２．３デシテックス（ｄｔｅｘ）、ブラシ毛３１ｂの長さ０．８ｍｍ、かつ密度１５０，０００本／ｉｎｃｈ２ の帯電ブラシ３１とした。
【００７７】
また、電子写真装置はＡ４カラータンデム機を使用し、感光体ドラム１との周速差０ｍｍ／ｓｅｃ（＝従動）とし、ブラシ保持方法として帯電ブラシ３１の両端にて２Ｎのバネ荷重をかけ、帯電ブラシ３１の感光体ドラム１への食い込み量を約０．１ｍｍとした。
【００７８】
一方、従来例では、試験体としては、材質ポリアミドのパイル織りブラシのブラシ毛であって、繊維太さ２．３デシテックス（ｄｔｅｘ）、ブラシ毛の長さ２ｍｍ、かつ密度２４０，０００本／ｉｎｃｈ２ の帯電ブラシとした。
【００７９】
また、電子写真装置はＡ４カラータンデム機を使用し、感光体ドラム１との周速差は、帯電ブラシの周速を感光体ドラム１の周速に対して同一の回転方向に２倍とした。さらに、帯電ブラシの両端にて軸受けにて固定した。また、帯電ブラシ３１の感光体ドラム１への食い込み量は約０．５ｍｍとした。
【００８０】
その結果、図５に示すように、従来例では、印字枚数２０，０００枚経過した後の感光体ドラム１の膜厚が約５μｍ減少したのに対して、実施例では、印字枚数２０，０００枚経過した後の感光体ドラム１の膜厚は１μｍ以下の減少であった。
【００８１】
この結果、本実施例の帯電ブラシ３１は、感光体ドラム１の膜厚の低下が少ないことが明らかになった。
【産業上の利用可能性】
【００８２】
本発明は、電子写真装置の感光体を帯電するための帯電ブラシを備えた帯電装置に関するものであり、帯電装置及び該帯電装置を備えた電子写真装置に適用可能である。
【符号の説明】
【００８３】
１      感光体ドラム（感光体）
２０      クリーニング装置
３０      帯電装置
３０’    帯電装置
３１      帯電ブラシ
３１ａ    基材
３１ｂ    ブラシ毛
３２      シャフト
３３      電圧印加装置
３４      電圧印加装置
４０      画像形成部
【図１】
2011180245.tif 000005
【図２】
2011180245.tif 000006
【図３】
2011180245.tif 000007
【図５】
2011180245.tif 000008
【図６】
2011180245.tif 000009
【図４】
2011180245.tif 000010
【図７】
2011180245.tif 000011
【図８】
2011180245.tif 000012